(57)【要約】【課題】  接続相手側となるプラグ型光コネクタにおける光ケーブルに終端処理されるフェルールの外径が異なる仕様のものを対象にしても容易に適用（対処）できる構造のレセプタクル型分割式光コネクタを提供すること。【解決手段】  この光コネクタは、フロントシェル４〜６の選択されたもの及び共通部品用のベースシェル１の間に中間シェル２，３の選択されたものを介在させて組付構成される。シェル２，３は、フェルールの外径が異なるものに対応する筒状突出部２ａ，３ａを有する。シェル４〜６は、プラグ周辺の形状に合致する筒状突出部２ａ向けのＳＣ形コネクタプラグ用，ＦＣ形コネクタプラグ用のもの（４，５）と筒状突出部３ａ向けのＳＣ形コネクタプラグ用のもの（６）とから選択されたものが選択されたシェル２，３の筒状突出部２ａ，３ａを開口内に挿通収納した状態でシェル２，３を挟んでシェル１との間で装着固定される。【選択図】図１
2005107104.tif 000002
【特許請求の範囲】
【請求項１】
光通信機器に搭載されると共に、接続相手側となるプラグ型光コネクタとの接続に供されるレセプタクル型光コネクタにおいて、それぞれ分割された構成部品としてのフロントシェル，中間シェル，ベースシェルを該フロントシェル及び該ベースシェルの間に該中間シェルを介在させるように互いに組み付けて構成され、更に、前記ベースシェルは、共通部品として用いられ、前記中間シェルは、光ケーブルに終端処理されるフェルールの外径が相違したものを装着可能な異なる内径を有する筒状突出部が中央部分に設けられた異なるタイプのものを選択可能であって、且つ選択されたものが該筒状突出部の反対側の面で前記ベースシェルとの間で嵌合装着され、前記フロントシェルは、前記プラグ型光コネクタのプラグ周辺の形状に合致する異なるタイプのものを選択可能であって、且つ選択されたものが前記中間シェルの選択されたものにおける前記筒状突出部を開口内に挿通収納した状態で該中間シェルを挟むようにして前記ベースシェルとの間で装着固定されることを特徴とするレセプタクル型分割式光コネクタ。
【請求項２】
請求項１記載のレセプタクル型分割式光コネクタにおいて、前記ベースシェルの中央部分には、前記中間シェルに対して嵌合装着するための突出した装着用突出部が設けられ、前記中間シェルには、前記ベースシェルにおける前記装着用突出部を挿入装着可能な凹んだ挿入口が設けられ、更に、前記中間シェルにおける前記挿入口には、前記ベースシェルにおける前記装着用突出部の嵌合装着時に該装着用突出部の局部を前記筒状突出部の径方向へ押圧付勢することで該ベースシェル及び該中間シェルにおける組み付けに際しての光軸線を一致させるための付勢手段が設けられたことを特徴とするレセプタクル型分割式光コネクタ。
【請求項３】
請求項２記載のレセプタクル型分割式光コネクタにおいて、前記ベースシェルにおける前記装着用突出部の局部は、前記付勢手段による押圧付勢に供される平坦面を持つように形成された被押圧部であることを特徴とするレセプタクル型分割式光コネクタ。
【請求項４】
請求項３記載のレセプタクル型分割式光コネクタにおいて、前記付勢手段は、一端側が固定端として前記挿入口近傍の壁部に装着固定され、且つ他端側が自由端として該挿入口内へ延在することで前記被押圧部への押圧付勢に供される板ばねであることを特徴とするレセプタクル型分割式光コネクタ。
【請求項５】
請求項４記載のレセプタクル型分割式光コネクタにおいて、前記中間シェルにおける前記筒状突出部と反対側の所定箇所には突出したピンが設けられ、前記ベースシェルにおける前記装着用突出部周辺の所定箇所には前記ピンを挿入するための孔が設けられ、更に、前記中間シェル及び前記ベースシェルの組み付けに際して前記ピンが前記孔に挿入されることにより該ベースシェルにおける光軸に対する回転方向のずれを防止することを特徴とするレセプタクル型分割式光コネクタ。
【発明の詳細な説明】
【技術分野】
【０００１】
本発明は、主として光通信分野における各種機器に搭載されると共に、プラグ型光コネクタを接続相手側として接続に供されるレセプタクル型光コネクタであって、詳しくは光ファイバケーブル等に代表される光ケーブルに終端処理されるフェルールの外径が異なる仕様のものを対象にしても容易に適用（対処）できるように互いに分割された構成部分を挿げ替え可能に組み付けて構成されるレセプタクル型分割式光コネクタに関する。
【背景技術】
【０００２】
従来、一般的な光コネクタとしては、アダプタハウジング内でスリーブの軸方向で嵌合固定強度を増大させてスリーブに嵌挿されるフェルールの位置ずれを抑制して光接続損失を低減させた構造のもの（特許文献１参照）や、互いに結合されるプラグ型光コネクタとレセプタクル型光コネクタとから成る光コネクタモジュール（特許文献２参照）等が挙げられる。
【０００３】
ところで、特許文献２において光コネクタモジュールとして示された互いに結合されるプラグ型光コネクタ及びレセプタクル型光コネクタは、汎用的な光コネクタの基本構造の一例を示すものであるが、最近ではプラグ型光コネクタにあってのプラグ周辺の結合箇所における形状が多様化されており、これに伴ってレセプタクル型光コネクタの基本構造にも工夫が凝らされている。
【０００４】
図４は、従来のレセプタクル型光コネクタ（開発製品化済みのものであるが、文献公知に係る発明でないもの）の基本構造を示した分解斜視図である。
【０００５】
このレセプタクル型光コネクタは、接続相手側となるプラグ型光コネクタの多様化するプラグ周辺の形状に応じ、外径２．５ｍｍのフェルールを有するＳＣ形コネクタプラグ（ＪＩＳ  Ｃ  ５９７３  Ｆ０４形）用、並びにＦＣ形コネクタプラグ（ＪＩＳ  Ｃ  ５９７３  Ｆ０形）用に対応する２種のフロントシェル４，５を用意し、これらの中から選択されたものをプラグ型光コネクタにおける光ケーブルに終端処理されるフェルールの外径が一定なもの（通常外径φは２．５ｍｍである）を装着可能な内径を有する筒状突出部７ａが中央部分に設けられたリヤシェル７との間で組み付ける構造となっている。
【０００６】
即ち、このレセプタクル型光コネクタの場合、フロントシェル４，５がプラグ型光コネクタのプラグ周辺の形状に合致する異なるタイプのものを選択可能であって、且つ選択されたものがリヤシェル７における筒状突出部７ａを開口内に挿通収納した状態でリヤシェル７との間で装着固定されるようになっている。因みに、ここではフロントシェル４，５の選択されたものとリヤシェル７とが組み付けられる際、フロントシェル４，５がそれぞれ外装部品として備えるレバーに設けられたカム溝にリヤシェル７の側壁局部に設けられたピンが装着されるようになっている。
【特許文献１】特開２００１−１８３５４９号公報（要約）
【特許文献２】特許第３４２４１７２号公報（図１乃至図３）
【発明の開示】
【発明が解決しようとする課題】
【０００７】
上述した従来のレセプタクル型光コネクタの場合、ＳＣ形コネクタプラグ用，ＦＣ形コネクタプラグ用のものから選択されたフロントシェルと接続相手側となるプラグ型光コネクタにおける光ケーブルに終端処理されるフェルールの外径が一定なものを装着可能な内径を有する筒状突出部が中央部分に設けられたリヤシェルとを組み付けた構造であるため、フェルールの外径が異なる仕様のものを対象にした場合に適用（対処）できなくなってしまうという問題がある。
【０００８】
即ち、最近では接続相手側となるプラグ型光コネクタにおいて、通常使用されている外径φが２．５ｍｍのフェルールを用いたタイプのものの他、省スペース化の要望に応えて外径φが１．２５ｍｍのフェルールを用いたタイプのものも使用されているため、レセプタクル型光コネクタにおいてもフェルールの外径が異なる仕様のものを対象に適用（対処）できるようにする必要性が生じている。
【０００９】
本発明は、このような問題点を解決すべくなされたもので、その技術的課題は、接続相手側となるプラグ型光コネクタにおける光ケーブルに終端処理されるフェルールの外径が異なる仕様のものを対象にしても容易に適用（対処）できる構造のレセプタクル型分割式光コネクタを提供することにある。
【課題を解決するための手段】
【００１０】
本発明によれば、光通信機器に搭載されると共に、接続相手側となるプラグ型光コネクタとの接続に供されるレセプタクル型光コネクタにおいて、それぞれ分割された構成部品としてのフロントシェル，中間シェル，ベースシェルを該フロントシェル及び該ベースシェルの間に該中間シェルを介在させるように互いに組み付けて構成され、更に、ベースシェルは、共通部品として用いられ、中間シェルは、光ケーブルに終端処理されるフェルールの外径が相違したものを装着可能な異なる内径を有する筒状突出部が中央部分に設けられた異なるタイプのものを選択可能であって、且つ選択されたものが該筒状突出部の反対側の面でベースシェルとの間で嵌合装着され、フロントシェルは、プラグ型光コネクタのプラグ周辺の形状に合致する異なるタイプのものを選択可能であって、且つ選択されたものが中間シェルの選択されたものにおける筒状突出部を開口内に挿通収納した状態で該中間シェルを挟むようにしてベースシェルとの間で装着固定されるレセプタクル型分割式光コネクタが得られる。
【００１１】
又、本発明によれば、上記レセプタクル型分割式光コネクタにおいて、ベースシェルの中央部分には、中間シェルに対して嵌合装着するための突出した装着用突出部が設けられ、中間シェルには、ベースシェルにおける装着用突出部を挿入装着可能な凹んだ挿入口が設けられ、更に、中間シェルにおける挿入口には、ベースシェルにおける装着用突出部の嵌合装着時に該装着用突出部の局部を筒状突出部の径方向へ押圧付勢することで該ベースシェル及び該中間シェルにおける組み付けに際しての光軸線を一致させるための付勢手段が設けられたレセプタクル型分割式光コネクタが得られる。
【００１２】
更に、本発明によれば、上記レセプタクル型分割式光コネクタにおいて、ベースシェルにおける装着用突出部の局部は、付勢手段による押圧付勢に供される平坦面を持つように形成された被押圧部であるレセプタクル型分割式光コネクタが得られる。
【００１３】
加えて、本発明によれば、上記レセプタクル型分割式光コネクタにおいて、付勢手段は、一端側が固定端として挿入口近傍の壁部に装着固定され、且つ他端側が自由端として該挿入口内へ延在することで被押圧部への押圧付勢に供される板ばねであるレセプタクル型分割式光コネクタが得られる。
【００１４】
又、本発明によれば、上記レセプタクル型分割式光コネクタにおいて、中間シェルにおける筒状突出部と反対側の所定箇所には突出したピンが設けられ、ベースシェルにおける装着用突出部周辺の所定箇所にはピンを挿入するための孔が設けられ、更に、中間シェル及びベースシェルの組み付けに際してピンが孔に挿入されることにより該ベースシェルにおける光軸に対する回転方向のずれを防止するレセプタクル型分割式光コネクタが得られる。
【発明の効果】
【００１５】
本発明のレセプタクル型分割式光コネクタでは、従来のＳＣ形コネクタプラグ用，ＦＣ形コネクタプラグ用のものから選択されたフロントシェルと接続相手側となるプラグ型光コネクタにおける光ケーブルに終端処理されるフェルールの外径が一定なものを装着可能な内径を有する筒状突出部が中央部分に設けられたリヤシェルとを組み付けた構造のレセプタクル型光コネクタの場合、フェルールの外径が異なる仕様のものを対象にした場合に適用（対処）できなくなってしまうという問題を解消することを目的とし、基本構造として、共通部品として用いられるベースシェルに対し、フェルールの外径が相違したものを装着可能な異なる内径を有する筒状突出部が中央部分に設けられた異なるタイプのものを選択可能であって、且つ選択されたものが筒状突出部の反対側の面でベースシェルとの間で嵌合装着される中間シェルと、プラグ型光コネクタのプラグ周辺の形状に合致する異なるタイプのものを選択可能であって、且つ選択されたものが中間シェルの選択されたものにおける筒状突出部を開口内に挿通収納した状態でその中間シェルを挟むようにしてベースシェルとの間で装着固定されるフロントシェルとを組み付けた構造としているため、接続相手側となるプラグ型光コネクタにおけるフェルールの外径が異なる仕様のものを対象にしても、共通部品であるベースシェルに対して適合するタイプの中間シェル及びフロントシェルを選択して組み付けるだけで容易に適用（対処）できるようになる。又、このレセプタクル型分割式光コネクタにおいて、ベースシェルの中央部分に設けられた装着用突出部を挿入装着可能な中間シェルにおける挿入口に対し、ベースシェルにおける装着用突出部の嵌合装着時にその装着用突出部の局部を筒状突出部の径方向へ押圧付勢する付勢手段を設けているため、ベースシェル及び中間シェルにおける組み付けに際して光軸ずれを防止して光軸線を容易に一致させられるようになる。更に、このレセプタクル型分割式光コネクタにおいて、装着用突出部の局部を押圧付勢に供される平坦面を持つように形成された被押圧部とし、付勢手段を一端側が固定端として挿入口近傍の壁部に装着固定され、且つ他端側が自由端として挿入口内へ延在することで被押圧部への押圧付勢に供される板ばねとしているため、簡単な構造で中間シェルを挿げ替えた場合にも安定して光軸線を一致させることができて不要な光損失を生じること無く光伝送機能が精度良く維持されるようになる。加えて、このレセプタクル型分割式光コネクタにおいて、中間シェルにおける筒状突出部と反対側の所定箇所には突出したピンを設けると共に、ベースシェルにおける装着用突出部周辺の所定箇所にはピンを挿入するための孔を設けることにより、中間シェル及びベースシェルの組み付けに際してピンが孔に挿入された状態でベースシェルにおける光軸に対する回転方向のずれが防止されるため、簡単な構造で回転防止が図られて光伝送路が安定して確保され、これにより光通信を高精度に行わせることができるようになる。
【発明を実施するための最良の形態】
【００１６】
光通信機器に搭載されると共に、接続相手側となるプラグ型光コネクタとの接続に供されるレセプタクル型光コネクタの基本構造において、それぞれ分割された構成部品としてのフロントシェル，中間シェル，ベースシェルを用いるようにし、フロントシェル及びベースシェルの間に中間シェルを介在させるように互いに組み付けて構成されるものとする。但し、ここでのベースシェルは、共通部品として用いられるようにし、中間シェルは、接続相手側となるプラグ型光コネクタにおける光ケーブルに終端処理されるフェルールの外径が相違したものを装着可能な異なる内径を有する筒状突出部が中央部分に設けられた異なるタイプのものを選択可能であって、且つ選択されたものが筒状突出部の反対側の面でベースシェルとの間で嵌合装着されるようにし、フロントシェルは、プラグ型光コネクタのプラグ周辺の形状に合致する異なるタイプのものを選択可能であって、且つ選択されたものが中間シェルの選択されたものにおける筒状突出部を開口内に挿通収納した状態で中間シェルを挟むようにしてベースシェルとの間で装着固定される構造とすれば良い。
【００１７】
又、ベースシェルの中央部分に中間シェルに対して嵌合装着するための突出した装着用突出部を設け、中間シェルにベースシェルにおける装着用突出部を挿入装着可能な凹んだ挿入口を設けるようにした上、中間シェルにおける挿入口にベースシェルにおける装着用突出部の嵌合装着時に装着用突出部の局部を筒状突出部の径方向へ押圧付勢することでベースシェル及び中間シェルにおける組み付けに際しての光軸線を一致させるための付勢手段を設けるようにすれば、光軸ずれ防止の対策上において好ましい。更に、装着用突出部の局部を押圧付勢に供される平坦面を持つように形成された被押圧部とし、付勢手段を一端側が固定端として挿入口近傍の壁部に装着固定され、且つ他端側が自由端として挿入口内へ延在することで被押圧部への押圧付勢に供される板ばねとすれば、簡単な構造で中間シェルを挿げ替えた場合にも安定して光軸ずれ防止が図られるので好ましい。加えて、中間シェルにおける筒状突出部と反対側の所定箇所には突出したピンを設けると共に、ベースシェルにおける装着用突出部周辺の所定箇所にはピンを挿入するための孔を設け、中間シェル及びベースシェルの組み付けに際してピンが孔に挿入される状態が得られるようにすれば、回転防止を図られてベースシェルにおける光軸に対する回転方向のずれが防止されるので好ましい。
【実施例１】
【００１８】
図１は、本発明の実施例１に係るレセプタクル型分割式光コネクタの基本構造を示した分解斜視図である。
【００１９】
このレセプタクル型分割式光コネクタは、それぞれ分割された構成部品としての３種のフロントシェル４，５，６、２種の中間シェル２，３、１種のベースシェル１を用いるようにし、３種のフロントシェル４，５，６の選択されたもの及びベースシェル１の間に２種の中間シェル２，３の選択されたものを介在させるように互いに組み付けて構成される。
【００２０】
即ち、ここでのベースシェル１は、共通部品として用いられるために１種のみとなっている。中間シェル２，３は、接続相手側となるプラグ型光コネクタにおける光ケーブルに終端処理されるフェルールの外径φが相違した外径φ＝２．５ｍｍ，１．２５ｍｍに対応するものを装着可能な異なる内径を有する筒状突出部２ａ，３ａが中央部分に設けられた異なるタイプの２種のものが用意され、これらの選択されたものが筒状突出部２ａ，３ａの反対側の面でベースシェル１との間で嵌合装着される。これに対し、フロントシェル４，５，６は、プラグ型光コネクタのプラグ周辺の形状に合致する異なるタイプのものを選択可能なように外径φ＝２．５ｍｍのフェルールに対応する筒状突出部２ａ向けのＳＣ形コネクタプラグ用，ＦＣ形コネクタプラグ用のフロントシェル４，５と外径φ＝１．２５ｍｍのフェルールに対応する筒状突出部３ａ向けのＳＣ形コネクタプラグ用のフロントシェル６とによる３種のものが用意され、これらの選択されたものが中間シェル２，３の選択されたものにおける筒状突出部２ａ，３ａを開口内に挿通収納した状態で中間シェル２，３を挟むようにしてベースシェル１との間で装着固定される。因みに、ここでもフロントシェル４，５，６の選択されたものと中間シェル２，３の選択されたものとが組み付けられる際、フロントシェル４，５，６がそれぞれ外装部品として備えるレバーに設けられたカム溝に中間シェル２，３の側壁局部にそれぞれ設けられたピンが装着されるようになっている。
【００２１】
図２は、このレセプタクル型分割式光コネクタに備えられるベースシェル１及び中間シェル２の細部構成を示したもので、同図（ａ）はベースシェル１の背面側からの分解斜視図に関するもの，同図（ｂ）は中間シェル２の正面側からの分解斜視図に関するもの，同図（ｃ）は同図（ａ）に示される矢視方向Ｖ１からの中間シェル２の背面図に関するもの，同図（ｄ）は同図（ａ）に示される矢視方向Ｖ２からのベースシェル１の正面図に関するものである。
【００２２】
各部について、共通部品であるベースシェル１の中央部分には、光ケーブルの芯部を結合するための突出した芯結合部１ｂが中心に設けられると共に、中間シェル２に対して嵌合装着する（中間シェル３にも適用可能である）ための突出した装着用突出部１ａが設けられている。
【００２３】
中間シェル２には、ベースシェル１における装着用突出部１ａを挿入装着可能な凹んだ挿入口２ｂが設けられ、更に、中間シェル２における挿入口２ｂには、ベースシェル１における装着用突出部１ａの嵌合装着時に装着用突出部１ａの局部を筒状突出部２ａの径方向へ押圧付勢することでベースシェル１及び中間シェル２における組み付けに際しての光軸線を一致させるための付勢手段としての板ばね２ｃが設けられている。具体的に言えば、ベースシェル１における装着用突出部１ａの局部は板ばね２ｃによる押圧付勢に供される平坦面を持つように形成された被押圧部１ｃとなっており、板ばね２ｃは一端側が固定端として挿入口２ｂ近傍の壁部に装着固定され、且つ他端側が自由端として挿入口２ｂ内へ延在することで被押圧部１ｃへの押圧付勢に供されるようになっている。又、中間シェル２における筒状突出部２ａと反対側の所定箇所には突出したピン２ｄが設けられ、ベースシェル１における装着用突出部１ａ周辺の所定箇所にはピン２ｄを挿入するための孔が設けられ、ピン２ｄが孔に挿入されることで中間シェル２及びベースシェル１の組み付けに際してベースシェル１における光軸に対する回転方向のずれが防止されるようになっている。更に、板ばね２ｃにおける他端側の局部には被押圧部１ｃの局部に当接されて被押圧部１ｃを挿入口２ｂの中心方向に押圧するための突出した突起部２ｅが設けられている。尚、ここでの中間シェル２の細部構成については、中間シェル３についても同様に適用される。
【００２４】
このような構成によるレセプタクル型分割式光コネクタは、基本構造として、共通部品として用いられるベースシェル１に対し、フェルールの外径が相違したものを装着可能な異なる内径を有する筒状突出部２ａ，３ａが中央部分に設けられた異なるタイプのものを選択可能であって、且つ選択されたものが筒状突出部２ａ，３ａの反対側の面でベースシェル１との間で嵌合装着される中間シェル２，３と、プラグ型光コネクタのプラグ周辺の形状に合致する異なるタイプのものを選択可能であって、且つ選択されたものが中間シェル２，３の選択されたものにおける筒状突出部２ａ，３ａを開口内に挿通収納した状態でその中間シェル２，３を挟むようにしてベースシェル１との間で装着固定されるフロントシェル４，５，６とを組み付けた構造としているため、接続相手側となるプラグ型光コネクタにおけるフェルールの外径が異なる仕様のものを対象にしても、共通部品であるベースシェル１に対して適合するタイプの中間シェル２，３及びフロントシェル４，５，６を選択して組み付けるだけで容易に適用（対処）できる。
【００２５】
又、このレセプタクル型分割式光コネクタにおいて、ベースシェル１の中央部分に設けられた装着用突出部１ａを挿入装着可能な中間シェル２における挿入口２ｂに対し、ベースシェル１における装着用突出部１ａの嵌合装着時にその装着用突出部１ａの局部を押圧付勢する付勢手段としての板ばね２ｃ（中間シェル３についても同様な構造となっている）を設けているため、ベースシェル１及び中間シェル２，３の選択されたものにおける組み付けに際して光軸ずれを防止して光軸線を容易に一致させることができる。
【００２６】
更に、このレセプタクル型分割式光コネクタにおいて、装着用突出部１ａの局部を押圧付勢に供される平坦面を持つように形成された被押圧部１ｃとし、板ばね２ｃを一端側が固定端として挿入口２ｂ近傍の壁部に装着固定され、且つ他端側が自由端（その局部には突起部２ｅが設けられている）として挿入口２ｂ内へ延在することで被押圧部１ｃへの押圧付勢に供されるようにしているため、ベースシェル１の装着用突出部１ａを中間シェル２の筒状突出部２ａの径方向で挿入口２ｂの内壁に押さえ付けて中間シェル２の筒状突出部２ａに装着挿入されるフェルールの中心と光学素子との位置関係において径方向の位置決めを可能となり（中間シェル３についても同様な構造となっている）、簡単な構造で中間シェル２，３を挿げ替えた場合にも安定して光軸線を一致させることができ、不要な光損失を生じること無く光伝送機能が精度良く維持される。
【００２７】
加えて、このレセプタクル型分割式光コネクタにおいて、中間シェル２における筒状突出部２ａと反対側の所定箇所には突出したピン２ｄを設けると共に、ベースシェル１における装着用突出部１ａ周辺の所定箇所にはピン２ｄを挿入するための孔を設けることにより、中間シェル２及びベースシェル１の組み付けに際してピン２ｄが孔に挿入された状態でベースシェル１における光軸に対する回転方向のずれが防止される（中間シェル３についても同様な構造となっている）ため、簡単な構造で回転防止が図られて光伝送路が安定して確保され、これにより高精度に光通信を行わせることができる。
【００２８】
ところで、上述したレセプタクル型分割式光コネクタにおいて、中間シェル２及びベースシェル１の組み付けに際して、中間シェル２における挿入口２ｂに設けられた板ばね２ｃにより中間シェル２の筒状突出部２ａの径方向でベースシェル１の装着用突出部１ａにおける被押圧部１ｃを押圧する構造の他、ベースシェル１における装着用突出部１ａと中間シェル２における挿入口２ｂとの嵌合装着時に両部材の接触を確実に行わせるため、例えば挿入口２ｂの板ばね２ｃが設けられた側と反対側の局部にＶ字溝を持たせて２点で確実に接触が図られるようにする等、挿入口２ｂの形状に工夫を凝らすことも好ましい。
【００２９】
図３は、上述した中間シェル２に光軸ずれ防止用の板ばね２ｃが設けられていない場合の中間シェル２′に光軸ずれが発生する様子を説明するために示したもので、同図（ａ）は組み付け前の中間シェル２′の正面側からの分解斜視図に関するもの，同図（ｂ）は組み付け後の側面断面図に関するものである。
【００３０】
ここでは、中間シェル２′に光軸ずれ防止用の付勢手段としての板ばね２ｃが設けられていない場合において、図３（ａ）では中間シェル２′をベースシェル１に組み付ける際、光学的な相対的配置上において光軸ずれ量△Ｅｘが発生している様子を示している。又、図３（ｂ）では中間シェル２′をベースシェル１に組み付けた後にも、筒状突出部２ａの径方向での位置決めの機能を持たない場合には挿入口２ｂに若干のクリアランスが存在していることにより、局部（丸円で示す部分）に同様な光軸ずれ量△Ｅｘが発生している様子を示している。
【００３１】
因みに、この中間シェル２′のベースシェル１への組み付けに際して、挿入口２ｂの形状を工夫して加工精度を高めれば、光軸ずれ量△Ｅｘの発生を或る程度抑制できるが、中間シェル２′の挿入口２ｂにベースシェル１の装着用突出部１ａへの嵌合装着時における若干のクリアランスを持たせない構造とした場合には嵌合装着（組み付け）を容易に行い難くなってしまうので好ましくない。従って、図２（ａ），（ｃ）に示される中間シェル２の場合のように、光軸ずれ防止用の板ばね２ｃを設けた方が好ましいと言える。尚、光軸ずれ防止用の付勢手段は、板ばね２ｃが最も簡易で好ましいが、スプリング等でも代用可能である。
【産業上の利用可能性】
【００３２】
本発明のレセプタクル型分割式光コネクタは、簡単な構造で各部における光軸線を容易に一致させることができると共に、回転防止が図られて光伝送機能が精度良く維持された上で光伝送路が安定して確保されることにより、光通信を高精度で行わせることができるため、特に高精度な光伝送特性が要求される光通信機器への適用が好適となる。
【図面の簡単な説明】
【００３３】
【図１】本発明の実施例１に係るレセプタクル型分割式光コネクタの基本構造を示した分解斜視図である。
【図２】図１に示すレセプタクル型分割式光コネクタに備えられるベースシェル及び中間シェルの細部構成を示したもので、（ａ）はベースシェルの背面側からの分解斜視図に関するもの，（ｂ）は中間シェルの正面側からの分解斜視図に関するもの，（ｃ）は（ａ）に示される矢視方向Ｖ１からの中間シェルの背面図に関するもの，（ｄ）は（ａ）に示される矢視方向Ｖ２からのベースシェルの正面図に関するものである。
【図３】図２で説明した中間シェルに光軸ずれ防止用の板ばねが設けられていない場合に光軸ずれが発生する様子を説明するために示したもので、（ａ）は組み付け前の中間シェルの正面側からの分解斜視図に関するもの，（ｂ）は組み付け後の側面断面図に関するものである。
【図４】従来のレセプタクル型光コネクタの基本構造を示した分解斜視図である。
【符号の説明】
【００３４】
１  ベースシェル
１ａ  装着用突出部
１ｂ  芯結合部
１ｃ  被押圧部
２，２′，３  中間シェル
２ａ，３ａ，７ａ  筒状突出部
２ｂ  挿入口
２ｃ  板ばね
２ｄ  ピン
２ｅ  突起部
４，５，６  フロントシェル
７  リアシェル
【図１】
2005107104.tif 000003
【図２】
2005107104.tif 000004
【図３】
2005107104.tif 000005
【図４】
2005107104.tif 000006